(57)【要約】      （修正有）【課題】コンロ本体への熱伝道を軽減し、燃焼効率を改善できるバーベキューコンロを提供する。【解決手段】上部を開口し、側面下部に複数の吸気孔１０が設けられた方形箱状のコンロ本体１と、このコンロ本体１の上部フランジ部に着脱自在に係止される燃焼器と、コンロ本体１を支持する複数の脚部７とからなるコンロであって、燃焼器は両側面上部に複数の排気孔８が穿設された遮熱部と、ロストル部とが一体に形成された凹状の燃料載置部２と、燃料載置部２と所定の間隔離間して固定され、側面下部に複数の通気孔９が穿設された凹状の遮熱板とから構成され、コンロ本体１の上部フランジ部に着脱自在に係止して燃焼器が載置され、コンロ本体と所定の間隔離間する空間が形成される。【選択図】図１
0003200882.tif 000002
【実用新案登録請求の範囲】
【請求項１】
上部を開口し、側面下部に複数の吸気孔が設けられた方形箱状のコンロ本体と、このコンロ本体の上部フランジ部に着脱自在に係止される燃焼器と、前記コンロ本体を支持する複数の脚部とからなるコンロであって、前記燃焼器は両側面上部に複数の排気孔が穿設された遮熱部と、ロストル部とが一体に形成された凹状の燃料載置部と、該燃料載置部と所定の間隔離間して固定され、側面下部に複数の通気孔が穿設された凹状の遮熱板とから構成され、前記コンロ本体の上部フランジ部に着脱自在に係止して前記燃焼器が載置され、コンロ本体と所定の間隔離間する空間が形成されることを特徴とするバーベキューコンロ。
【請求項２】
前記コンロ本体底面の長手方向両端部には、コンロ本体載置用脚部が設けされたことを特徴とする請求項１に記載のバーベキューコンロ。
【考案の詳細な説明】
【技術分野】
【０００１】  本考案は、串焼きやバーベキューに使用されるコンロに関するものである。
【背景技術】
【０００２】  最近、アウトドアーが流行しており、野外で料理する機会が増えている。また、スーパー等の店頭において、串焼き等を販売する屋台形式の出店が人気になっており、各種のバーベキューコンロが販売されている。【０００３】  これらのバーベキューコンロは種々の工夫が行われているが、木炭などの燃料により上昇するコンロ本体の温度を確実に遮熱できるバーバキューコンロは存在していない。【０００４】  例えば、実開平７−９２２８号では、遮蔽板を設けることによって燃料を燃焼させた際に発生する熱を遮断して、コンロ本体の外周が熱くならないバーベキューコンロが開示されている。また、実公平７−１０７５号では、コンロ本体と燃焼器との間に断熱用空間を作ることで外部への熱伝導を防ぐバーベキューコンロが開示されている。
【先行技術文献】
【特許文献】
【特許文献１】実開平７−９２２８号公報
【特許文献２】実公平７−１０７５号公報
【考案の概要】
【考案が解決しようとする課題】
【０００５】  しかしながら、上部を開口し、側面下部に複数の通気孔が設けられた方形箱状のコンロ本体と、このコンロ本体の上部フランジ部に着脱自在に係止される燃焼器と、前記コンロ本体を支持する複数の脚部とからなるコンロであって、前記燃焼器は両側面上部に複数の通気孔が穿設された遮熱部と、ロストル部とが一体に形成された凹状の燃料載置部と、該燃料載置部と所定の間隔離間して固定され、側面下部に複数の通気孔が穿設された凹状の遮熱板とから構成され、前記コンロ本体の上部フランジ部に着脱自在に係止して前記燃焼器が載置され、コンロ本体と所定の間隔離間する空間が形成されることを特徴とするバーベキューコンロは存在していない。【０００６】  また、従来のバーベキューコンロは、食材載置部全体に熱が伝わることから、肉等を串刺しした串焼きにおいて串部分が焦げ付き、作業性に難があった。【０００７】  また、コンロ本体は、使用により高温、常温の状態が繰り返されるため、熱歪みによりコンロ本体が変形するものが多く存在している。【０００８】  さらに、従来のバーベキューコンロの外周は耐熱塗料等で装飾されているが、一般塗料であっても熱や酸化による塗料の剥離や変色が防止できるバーベキューコンロは存在していない。【０００９】  本考案はこのような問題を鑑みてなされたものであり、過度な温度上昇を防止し、効果的に調理が可能であり、コンロ本体が熱で変形することもなく、塗料が変色や剥離しないバーベキューコンロを提供する事を目的とする。
【課題を解決するための手段】
【００１０】  以上の課題を解決するために、上部を開口し、側面下部に複数の通気孔が設けられた方形箱状のコンロ本体と、このコンロ本体の上部フランジ部に着脱自在に係止される燃焼器と、前記コンロ本体を支持する複数の脚部とからなるコンロであって、前記燃焼器は両側面上部に複数の通気孔が穿設された遮熱部と、ロストル部とが一体に形成された凹状の燃料載置部と、該燃料載置部と所定の間隔離間して固定され、側面下部に複数の通気孔が穿設された凹状の遮熱板とから構成され、前記コンロ本体の上部フランジ部に着脱自在に係止して前記燃焼器が載置され、コンロ本体と所定の間隔離間する空間が形成されることを特徴とするバーベキューコンロとした。また、コンロ本体底面の長手方向両端部には、コンロ本体載置用脚部が設けされたことを特徴とする。
【考案の効果】
【００１１】  本考案は、コンロ本体とコンロ本体に係止される燃焼器との間に間隔離間する所定の空間が形成されることで、コンロ本体への断熱効果を大きくすることができる。【００１２】  また、吸入孔から流入した空気は、直接排気孔へ流れてコンロ本体を断熱する流路と、遮熱板の通気孔を介して排気孔へ流れて遮熱板を冷却する流路と、遮熱板の通気孔から燃料載置部へ流れて燃焼に用いられる流路に分けられ、流入した空気が断熱と燃焼用に効果的に利用でき、食料を効率的に調理できるとともに過度の燃焼や不完全燃焼の恐れを防止できる。【００１３】  また、コンロ本体底面の長手方向両端部には、コンロ本体載置用脚部が設けされたことで、熱歪みによりコンロ本体が変形することがない。【００１４】  また、高い断熱効果により一般塗料でも塗料の剥離や変色を生じることがない。【００１５】  また、前記の構造とすることで、効率的な遠赤外線効果の利用が可能となり、好ましい調理の仕上がりと時間短縮による経済的な効果が得られる。
【図面の簡単な説明】
【００１６】
【図１】全体の斜視図である。
【図２】図１の要部の拡大断面図である。
【考案を実施するための形態】
【００１７】  以下にこの発明の一実施の形態を説明する。
【実施例１】
【００１８】  厚さ１，２ｍｍの鋼鈑を加工・溶接して上部が開口した方形箱を成形し、側面下部に直径２０ｍｍの吸気孔を複数設けてコンロ本体とした。【００１９】  厚さ１，２ｍｍの鋼鈑を成形後、両側面上部に直径２０ｍｍの複数の排気孔が穿設された燃料載置部と、厚さ１，２ｍｍの鋼鈑を成形後、側面下部に直径２０ｍｍの複数の通気孔が穿設された遮熱板とを、厚さ１，２ｍｍの鋼鈑をコの字型に成形した連結板で連結し、厚さ１，２ｍｍの鋼鈑をＬの字型に成形した側板をΦ４ｍｍトラスねじで燃料載置部の両端に固定して燃焼器とした。【００２０】  また、コの字型に成形した厚さ１，２ｍｍの鋼鈑を前記コンロ本体底面の長手方向両端部に溶接してコンロ本体載置用脚部とした。【００２１】  なお、本考案は前記実施例に限定されるものではなく、具体的な各部の形状は適宜変更可能である。
【符号の説明】
【００２２】  １    コンロ本体
２    燃料載置部
３    遮熱板
４    連結板
５    側板
６    コンロ本体載置用脚部
７    脚部
８    排気孔
９    通気孔
１０  吸気孔
【図１】
0003200882.tif 000003
【図２】
0003200882.tif 000004